(57)【要約】【課題】小型化した蓄電モジュールを提供する。【解決手段】蓄電モジュール１０は、端部３３から外側方向に突出する正極および負極のリード端子３４，３４を有する複数の蓄電素子３２を、積層してなる積層体３０を備える。隣り合う蓄電素子３２，３２の極性の相違するリード端子３４Ａ，３４Ａは、互いに逆方向に屈曲されるとともに、その端部同士を重ね合わせて溶接することにより接続されている。【選択図】図５
2014078366.tif 000002
【特許請求の範囲】
【請求項１】
端部から外側方向に突出する正極および負極のリード端子を有する複数の蓄電素子を、積層してなる積層体を備える蓄電モジュールであって、
隣り合う前記蓄電素子の極性の相違するリード端子は、互いに逆方向に屈曲されるとともに、その端部同士を重ね合わせて溶接することにより接続されている蓄電モジュール。
【請求項２】
前記リード端子には、溶接の際に当該リード端子が受ける応力を緩和する応力緩和部が設けられている請求項１に記載の蓄電モジュール。
【請求項３】
前記隣り合う蓄電素子の、極性の相違するリード端子は、レーザー溶接により接続されている請求項１または請求項２に記載の蓄電モジュール。
【請求項４】
前記蓄電素子を保持する絶縁樹脂製の保持部材を備え、
前記保持部材には、前記隣り合う蓄電素子の極性の相違するリード端子同士を溶接するための治具を、前記リード端子の突出方向と交差する方向から挿入可能な挿入口が形成されている請求項１ないし請求項３のいずれか一項に記載の蓄電モジュール。
【発明の詳細な説明】
【技術分野】
【０００１】
本発明は、蓄電モジュールに関する。
【背景技術】
【０００２】
内部に蓄電要素が収容されてなる蓄電素子の一例としてリチウムイオン電池やニッケル水素電池等の二次電池等が知られている。リチウムイオン電池等の二次電池は、複数個を接続することにより電池モジュールを構成する。このような電池モジュールとしては、例えば、特許文献１に記載されているものなどが知られている。
【先行技術文献】
【特許文献】
【０００３】
【特許文献１】特開２０１２−１４６６６９号公報
【発明の概要】
【発明が解決しようとする課題】
【０００４】
上記特許文献１には、端部から正極および負極のリード端子が突出する単電池を複数個、積層してなる電池モジュールが開示されている。
このような電池モジュールにおいて、隣り合う単電池は、極性の相違する（逆極性の）リード端子同士を重ねあわせて、接合することにより接続される。
【０００５】
そのため、個々の単電池のリード端子の突出寸法が大きくなると、電池モジュールにおいても、リード端子の突出方向における長さ寸法が大きくなるという問題があった。
【０００６】
本発明は上記のような事情に基づいて完成されたものであって、小型化した蓄電モジュールを提供することを目的とする。
【課題を解決するための手段】
【０００７】
上記課題を解決するものとして本発明は、端部から外側方向に突出する正極および負極のリード端子を有する複数の蓄電素子を、積層してなる積層体を備える蓄電モジュールであって、隣り合う前記蓄電素子の極性の相違するリード端子は、互いに逆方向に屈曲されるとともに、その端部同士を重ね合わせて溶接することにより接続されている蓄電モジュールである。
【０００８】
本発明において、隣り合う蓄電素子の極性の相違するリード端子は互いに逆方向に屈曲されているので、一方の蓄電素子のリード端子の端部を他方の蓄電素子側に向けて配し、他方の蓄電素子のリード端子の端部を一方の蓄電素子側に向けて配することにより端部同士を重ねることができる。２つのリード端子の端部同士を重ねた状態で溶接することにより、隣り合う蓄電素子の極性の相違する（逆極性の）リード端子が接続される。その結果、本発明によれば、リード端子の屈曲部分から末端までの長さの分、蓄電素子のリード端子の突出方向における長さを小さくすることができるので、このような蓄電素子を積層してなる蓄電モジュールを小型化することができる。
【０００９】
本発明は以下の構成としてもよい。
前記リード端子には、溶接の際に当該リード端子が受ける応力を緩和する応力緩和部が設けられていてもよい。
このような構成とすると、溶接する際の応力が緩和されるので、応力を受けることによるリード端子の強度低下等を抑制できる。
【００１０】
前記隣り合う蓄電素子の、極性の相違するリード端子は、レーザー溶接により接続されていてもよい。
このような構成とすると、微小で精密な溶接が可能であるので好ましい。
【００１１】
前記蓄電素子を保持する絶縁樹脂製の保持部材を備え、前記保持部材には、前記隣り合う蓄電素子の極性の相違するリード端子同士を溶接するための治具を、前記リード端子の突出方向と交差する方向から挿入可能な挿入口が形成されていてもよい。
本発明において、リード端子は屈曲されているので、リード端子の屈曲部分から端部側の部分は、突出方向に対して交差する方向を向いている。したがって、上記のような構成とすると、保持部材にリード端子の突出方向と交差する方向から溶接用の治具を挿入可能なので、蓄電素子間の絶縁性を保つ保持部材を取り付けた状態で、リード端子の溶接を行うことができる。
【発明の効果】
【００１２】
本発明によれば、小型化した蓄電モジュールを提供することができる。
【図面の簡単な説明】
【００１３】
【図１】実施形態１の蓄電モジュールの斜視図
【図２】蓄電モジュールの平面図
【図３】蓄電モジュールの分解斜視図
【図４】蓄電素子の積層体の斜視図
【図５】図２のＡ−Ａ線における断面図
【図６】上から１段目の単電池の斜視図
【図７】上から１段目の単電池の平面図
【図８】上から２段目〜５段目の単電池の斜視図
【図９】上から２段目〜５段目の単電池を一方の面から示した図
【図１０】上から６段目の単電池の斜視図
【図１１】上から６段目の単電池の平面図
【図１２】単電池の配置を示す側面図
【図１３】単電池を積層した状態を示す斜視図
【図１４】単電池を積層した状態を示す側面図
【図１５】リード端子を溶接する様子を示す模式図
【発明を実施するための形態】
【００１４】
＜実施形態１＞
本発明を電池モジュール１０に適用した実施形態１を図１ないし図１５によって説明する。以下の説明において、図２、図４および図５における左側を前方とし右側を後方とし、図５、図１２、図１４の上方を上とし下方を下とする。
本実施形態の電池モジュール１０は、例えばＩｎｔｅｇｒａｔｅｄ  Ｓｔａｒｔｅｒ  Ｇｅｎｅｒａｔｏｒ（ＩＳＧ）用の電池モジュール１０として用いられる。
【００１５】
（電池モジュール１０）
電池モジュール１０は、図１に示すように、全体として略直方体形状をなしている。電池モジュール１０の側面のうち、図２における左右に配される側面（前側面、後側面）からはそれぞれ、各単電池３２（蓄電素子の一例）のリード端子３４に接続された電線６５が複数本、外部に導出されている。複数本の電線６５は、それぞれ、一端が板状の電圧検知端子（図示せず）を介して単電池３２のリード端子３４に接続され、他端が電圧検知出力コネクタ６４（以下「コネクタ６４」ともいう）に接続されている。
【００１６】
前側面側に導出される電線６５に接続された複数のコネクタ６４、および後側面側に導出される電線６５に接続された複数のコネクタ６４は、それぞれ、積層され一体化されている。
【００１７】
電池モジュール１０は、図３に示すように、複数の単電池３２（本実施形態では６個の単電池３２）を積層してなる積層体３０と、積層体３０を収容する金属製のケース１１と、を備える。
【００１８】
（ケース１１）
ケース１１は、積層体３０を収容するケース本体１２と、ケース本体１２の上面の開口部１３Ａに被せ付けられる蓋部１８と、を備える。
【００１９】
ケース本体１２は、図３に示すように、上面および前側面が開口している。ケース本体１２の後側面の上端には、複数の電線６５をケース１１外に導出する電線導出孔（図示せず）が形成されている。
【００２０】
ケース本体１２の底面には、略長方形状をなし、ケース１１の内側方向に突出した突出面１４が形成されている。ケース本体１２の底面に形成された突出面１４は、最下段に配置される単電池３２の下に配置される伝熱板６０と接触可能とされる。ケース本体１２の突出面１４と単電池３２とが接触することによりケース本体１２に単電池３２から生じる熱が伝わって、外部に放熱されるようになっている。
【００２１】
ケース本体１２の底面においては、突出面１４よりも外側に、ケース本体１２に収容した積層体３０と蓋部１８とを固定するための第１固定部材２５（後述する）が挿通される固定孔１５が貫通して形成されている。また、ケース本体１２の底面においては、前端側に方形状の孔１６が貫通して形成されている。この方形状の孔１６は、前側の開口部１３Ｂに取り付けられる絶縁蓋部材２６を係止する係止孔１６とされる。
【００２２】
ケース本体１２の長手方向に沿って配される一対の側面には、略円形をなし、蓋部１８を固定するための第２固定部材（図示せず）を挿通可能な固定孔１７が複数（３つ）形成されている。
【００２３】
蓋部１８は図３に示すように、略長方形状の板状部１９と、板状部１９に対して略垂直下方に連なり、ケース本体１２の上端部に固定される固定部２３と、を備える。板状部１９の中央位置には、内側方向（下側方向）に突出する突出面２０が形成されている。蓋部１８の突出面２０は、最上段（上から１段目）の単電池３２Ａ（積層体３０の端部に配置される単電池３２の一例）と接触可能とされる。蓋部１８の突出面２０と単電池３２とが接触することにより蓋部１８に単電池３２から生じる熱が伝わって、外部に放熱されるようになっている。
【００２４】
板状部１９においては、突出面２０よりも外側に、蓋部１８と、積層体３０と、ケース本体１２とを固定するための第１固定部材２５が配される固定孔２１が貫通して形成されている。固定孔２１の孔径は、第１固定部材２５の外径よりも小さく形成されている。
【００２５】
また、板状部１９においては、前端部側に方形状の孔２２が貫通して形成されている。この方形状の孔２２は、前側に取り付けられる絶縁蓋部材２６を係止する係止孔２２とされる。
【００２６】
固定部２３には、略円形をなし、蓋部１８をケース本体１２に固定するための第２固定部材を挿通可能な固定孔２４が複数（３つ）形成されている。固定部２３はケース本体１２の一対の側面および後側面の外側に重ねられる（図５参照）。
【００２７】
第１固定部材２５は、図３に示すように、中空の円柱状をなしており、単電池３２の短辺方向の側縁部３３Ｂ（端部）に配される保持部材４０（詳細は後述する）に設けた円形の貫通孔４３に挿入され、ケース本体１２の底面と、蓋部１８のとの間に配置される。電池モジュール１０の組立時においては、第１固定部材２５の中空部分を介して、ケース本体１２の底面の固定孔１５と、蓋部１８の固定孔２１とに、位置決め用の治具（図示しない）が挿通される。
【００２８】
第１固定部材２５は、例えば、その上下の端部にビス等を圧入することにより、ケース本体１２と積層体３０と蓋部１８とを固定する。なお、ケース本体１２の底面の固定孔１５、第１固定部材２５、および蓋部１８の固定孔２１を貫通するボルトによってケース本体１２を車体の金属部分に直接固定してもよい。
【００２９】
ケース本体１２の前側の開口部１３Ｂには、バスバー３８が導出されるバスバー導出口２９Ｂ，２９Ｂが形成された絶縁樹脂製の絶縁蓋部材２６が取り付けられている。
【００３０】
絶縁蓋部材２６の上端部と下端部には、それぞれ、後方（図５における右方向）に突出する一対の突出片２７が設けられている。突出片２７の先端には係止孔１６に係止される係止突部２７Ａが形成されている。
絶縁蓋部材２６の上端部の一対の突出片２７の間には、後方に突出する絶縁板部２８が形成されている。絶縁板部２８は蓋部１８の下方に重なるように配されている。
絶縁蓋部材２６の下端部には、複数の電線６５を導出するための略方形状の切欠部２９Ａが設けられている。
【００３１】
（積層体３０）
ケース１１には複数の単電池３２を積層してなる積層体３０が収容されている。本実施形態において、積層体３０は、保持部材４０が取り付けられた伝熱板６０に載置した状態の単電池３２（以下「電池ユニット３１」という）を、複数積層してなるものである。
【００３２】
（単電池３２）
電池ユニット３１において、上面視略方形状の単電池３２は、短辺方向の縁部３３Ｂを保持部材４０により保持されるとともに、保持部材４０に取り付けられた伝熱板６０の上に載置されている。
【００３３】
各単電池３２は、図３および図４に示すように、外側面のうち面積の広い面３３Ａを上下に配して、略平行に配置されている。積層方向において隣り合う単電池３２は、相違する極性のリード端子３４が対向する位置に配されるように配置されている。
【００３４】
各単電池３２は、図６〜図１１に示すようなラミネート型の電池である。各単電池３２は、図示しない発電要素と、発電要素を包むとともに縁部３３Ｂが溶着されたラミネートフィルム３３と、発電要素に接続されるとともにラミネートフィルム３３の溶着された縁部３３Ｂ（端部）から外側方向に突出するリード端子３４と、を有する。
【００３５】
（リード端子３４）
さて、本実施形態において、隣り合う単電池３２，３２の極性の相違するリード端子３４，３４は、図５、図１３および図１４に示すように、互いに逆方向に屈曲されるとともに、その端部同士を重ね合わせて溶接することにより接続されている。リード端子３４について以下詳しく説明する。図中の「３６Ａ」とはリード端子３４，３４間の接続部３６Ａを示す。
【００３６】
図６および図７に示すように、上から１段目に配されている単電池３２Ａの右側縁部３３１Ｂ（単電池の端部の一例）から外側方向に突出する正極のリード端子３４は、側面視弧状の突部３６を経た後、略垂直下方に屈曲されており、その端部は側面視Ｊ字状をなしている。このリード端子３４（３４Ｂ）は、２段目の単電池３２Ｂの負極リード端子３４Ｂと接続されている（「端子間接続端子３４Ｂ」ともいう）。
【００３７】
上から１段目の単電池３２Ａの図示左側縁部３３１Ａから突出する負極のリード端子３４は側面視Ｕ字状の突部３５が形成されており、Ｕ字状の突部３５よりも末端寄りの部分（端部）は突出方向に対して略平行（直線状）である。このリード端子３４（３４Ａ）は、バスバー３８に直接重ねられて接続されている（「バスバー接続端子３４Ａ」ともいう）。
【００３８】
図８および図９に示すように、上から２〜５段目に配されている単電池３２（３２Ｂ，３２Ｃ，３２Ｄ，３２Ｅ）の一方の側縁部３３Ｂから外側方向に突出するリード端子３４と、他方の側縁部３３Ｂから外側方向に突出するリード端子３４とは、互いに逆方向に屈曲されている。
【００３９】
上から２〜５段目に配されている単電池３２Ｂ，３２Ｃ，３２Ｄ，３２Ｅの正極および負極のリード端子３４はともに、側面視弧状の突部３６を経た後、略垂直に屈曲されており、その端部は側面視Ｊ字状をなしている。これらのリード端子３４（３４Ｂ）は、隣接する単電池３２の極性の相違するリード端子３４Ｂと接続される（端子間接続端子３４Ｂ）。
【００４０】
図１０および図１１に示すように、上から６段目（最下段）に配されている単電池３２Ｆの右側縁部３３Ｂから突出する負極のリード端子３４は、側面視弧状の突部３６を経た後、略垂直上方に屈曲されており、その端部は側面視Ｊ字状をなしている。このリード端子３４（３４Ｂ）は、５段目の単電池３２Ｅの正極リード端子３４Ｂと接続されている（端子間接続端子３４Ｂ）。
【００４１】
上から６段目の単電池３２Ｆの図示左側縁部３３Ｂから突出する正極のリード端子３４は側面視Ｕ字状の突部３５が形成されており、Ｕ字状の突部３５よりも末端寄りの部分（端部）は突出方向に対して略平行（直線状）である。このリード端子３４（３４Ａ）は、バスバー３８に直接重ねられて接続されている（バスバー接続端子３４Ａ）。
【００４２】
リード端子３４Ｂ（端子間接続端子３４Ｂ)は、隣り合う単電池３２の極性の相違するリード端子３４Ｂ（端子間接続端子３４Ｂ)と、末端寄りの直線状の部分同士を接触するように重ね合わせた状態で接合され接続されている。図５に示すように、端子間接続端子３４Ｂ，３４Ｂ同士を接続すると、弧状の突部３６が上下に配される。
【００４３】
リード端子３４Ｂの弧状の突部３６は、リード端子３４Ｂ，３４Ｂ間を溶接する際に当該リード端子３４Ｂが受ける応力を緩和する機能を有する（応力緩和部の一例）。なお、リード端子３４ＡのＵ字状の突部３５はリード端子３４Ａとバスバー３８とを接続する際にリード端子３４Ａが受ける応力を緩和する機能を有する。
【００４４】
なお、各リード端子３４においては、図５に示すように、ラミネートフィルム３３の端部３３Ｂと、突部３５，３６との間に、上下方向に突出し、保持部材４０に係止される係止突部３７が形成されている。
【００４５】
（バスバー３８）
最上段の単電池３２Ａに接続されるバスバー３８は、電池モジュール１０の負極として機能する端子３８Ｂであり、最下段の単電池３２Ｆに接続されるバスバー３８は、電池モジュール１０の正極として機能する端子３８Ａである。各バスバー３８は、純アルミ、アルミ合金、銅または銅合金などの導電性材料からなる。
【００４６】
（保持部材４０）
各単電池３２は、絶縁樹脂製の保持部材４０により、伝熱板６０の上に載置された状態で保持されている。保持部材４０は単電池３２のリード端子３４が突出された縁部３３Ｂ（端部）に、それぞれ配されている。
【００４７】
最下段の保持部材４０以外の保持部材４０の下側面には、凹部４１が形成され、最上段の保持部材４０以外の保持部材４０の上側面には、直上の保持部材４０の凹部４１に嵌り込む凸部４２が形成されている。これにより、複数の保持部材４０を上下方向に積層した際に、上下方向において隣り合う保持部材４０の凹部４１に凸部４２が嵌り込んで一体化される。
【００４８】
また、本実施形態では、複数の保持部材４０を積層したときに、上下方向において隣り合う保持部材４０，４０間に、図４に示すように、空間Ｓが形成されるようになっている、
詳しくは、上から２段目の前方に配置される保持部材４０Ｂの凸部４２の下側面と、保持部材４０Ｂの凸部４２の直下に配される保持部材４０Ｃの上側面は、ともに凹んだ形状をなしており、これら２つの保持部材４０Ｂ，４０Ｃを重ね合わせると、保持部材４０Ｂ，４０Ｃ間に単電池３２のラミネートフィルム３３の短辺方向に対し略平行に貫通する空間Ｓが形成される。
【００４９】
同様に、上から４段目の前方に配置される保持部材４０Ｄと上から５段目の前方に配置される保持部材４０Ｅとの間、上から１段目の後方に配置される保持部材４０Ｇと上から２段目の後方に配置される保持部材４０Ｈとの間、上から３段目の後方に配置される保持部材４０Ｉと上から４段目の後方に配置される保持部材４０Ｊとの間、上から５段目の後方に配置される保持部材４０Ｋと上から６段目の後方に配置される保持部材４０Ｌとの間にも、それぞれ、空間Ｓが形成される。
【００５０】
上下方向において隣り合う保持部材４０，４０の間の空間Ｓには、上下方向において、隣り合う極性の相違するリード端子３４Ｂ，３４Ｂの接続部分３６Ｂが配されている。この空間Ｓには、隣り合う極性の相違するリード端子３４Ｂ，３４Ｂを溶接する際の治具７０が挿入可能であり、保持部材の図４の手前側の側面側または奥側の側面側が治具７０を空間Ｓに挿入する挿入口７１とされる。したがって、治具７０は、リード端子３４の突出方向（ラミネートフィルム３３の長辺方向と平行な方向）と交差する方向から挿入可能とされる。
【００５１】
各保持部材４０には、第１固定部材２５を挿通可能な２つの貫通孔４３と、伝熱板６０を固定する伝熱板固定部（図示せず）と、単電池３２のリード端子３４が配置される端子配置部４５と、が形成されている。保持部材４０の端子配置部４５には、リード端子３４の係止突部３７を受け入れて係止する係止溝４６が設けられている。
【００５２】
複数の保持部材４０のうち、上から１段目の前方に配置される保持部材４０Ａ、上から３段目の前方に配置される保持部材４０Ｃ、上から５段目の前方に配置される保持部材４０Ｅ、上から６段目の前方に配置される保持部材４０Ｆ、上から２段目の後方に配置される保持部材４０Ｈ、上から４段目の後方に配置される保持部材４０Ｊ、および上から６段目の後方に配置される保持部材４０Ｌには、それぞれ、電圧検知端子が載置される載置部（図示せず）と、電圧検知端子に接続された電線６５を収容する電線収容溝４８とが、形成されている。
【００５３】
上から６段目（最下段）に配置される２つの保持部材４０Ｆ，４０Ｌにおいて、係止溝４６は上面のみに設けられているが、それら以外の保持部材４０においては、上下面にそれぞれ設けられている。
【００５４】
また、１段目の前方に配置される保持部材４０Ａおよび６段目の前方に配置される保持部材４０Ｆには、それぞれ、バスバー３８を保持するバスバー保持部４９が形成されている。バスバー保持部４９には、バスバー３８が嵌めこまれる凹み部４９Ａと、凹み部４９Ａに嵌めこまれたバスバー３８を抜け止めする抜け止め突部４９Ｂとが形成されている。
【００５５】
また、１段目の後方に配置される保持部材４０Ｇには、積層体保持部材５５（後述する）の係止片５６を受け入れて係止する係止孔５０Ａと、積層体保持部材５５の取付突部５７を受け入れる取付凹部５０Ｂとが、設けられている。
【００５６】
積層体保持部材５５は、積層体３０の後方の端面側に取り付けられて積層体３０を保持するＬ字状の部材である。積層体保持部材５５は、１段目の後方に配置される保持部材４０Ｇの、係止孔５０Ａに係止される係止片５６と、当該保持部材４０の取付凹部５０Ｂを受け入れる取付突部５７を備える。
【００５７】
（伝熱板６０）
本実施形態においては、隣り合う単電池３２，３２の間には、アルミニウム製またはアルミニウム合金製の伝熱板６０が配置されている。伝熱板６０の長手方向における一対の側縁には、上方に起立する起立壁６１が４つずつ間隔をあけて形成されている。この起立壁６１は、積層体３０をケース１１に収容したときにケース１１の内壁面に接触するように配置されて、単電池３２から発生する熱をケース１１に伝導する熱伝導壁６１である。単電池３２から発生した熱は熱伝導壁６１を介してケース１１に伝わり、ケース外に放熱されるようになっている。
【００５８】
伝熱板６０の長手方向の一対の側縁よりも内側には、長手方向の側縁と概ね平行に、断面視Ｕ字状の溝（図示せず）がそれぞれ設けられている。この２本の溝が弾性変形することによって、熱伝導壁６１がケース１１の内壁に高い接圧で接触するようになっており、熱伝導を確実なものとしている。
【００５９】
本実施形態において、対向する位置にある熱伝導壁６１間の距離は、自然状態において、ケース本体１２の前後方向に配される一対の側面の内壁面１２Ａ，１２Ａ間の距離と同じかやや大きめに設定されている。伝熱板６０は、図示しない固定孔を有し、この固定孔に保持部材４０の固定突部（図示せず）を嵌めこむことにより保持部材４０に固定されている。
【００６０】
（本実施形態の電池モジュール１０の組み立て方法）
図６に示す単電池３２Ａを１個、図８に示す単電池３２を４個、および図１０に示す単電池３２Ｆを１個、合計６個の単電池３２を準備する。図１２は、６個の単電池３２を配置順に示したものである。
【００６１】
６枚の伝熱板６０の固定孔に、それぞれ、保持部材４０の固定突部を嵌めこんで熱かしめを行うことにより、伝熱板６０に保持部材４０を取り付けておく。
【００６２】
次に、電線収容溝４８を備える保持部材４０に、コネクタ６４が接続された電線６５を取り付けるとともに、バスバー保持部４９を備える保持部材４０に、バスバー３８を取り付ける。詳しくは、コネクタ６４が接続された電線６５（コネクタ付き電線６５ともいう）の取り付け作業は、保持部材４０の載置部４７に電圧検知端子を載置し、電線収容溝４８に電線６５を収容することにより実行することができる。
【００６３】
バスバー３８を取り付ける作業は、以下のようにして行う。バスバー保持部４９の凹み部４９Ａに、バスバー３８を差し込むと、バスバー３８と抜け止め突部４９Ｂが当接して、抜け止め突部４９Ｂが外側方向にたわみ変形する。バスバー３８が凹み部４９Ａに嵌めこまれると、抜け止め突部４９Ｂが弾性復帰して、バスバー３８の上方への移動を規制し抜け止め状態となる。
【００６４】
次に、保持部材４０が取り付けられた伝熱板６０の上に、単電池３２を載置する。具体的には、バスバー保持部４９を備える保持部材４０Ａが取り付けられた伝熱板６０の上には、図６に示す単電池３２Ａを載置し、バスバー保持部４９を備える保持部材４０Ｆが取り付けられた伝熱板６０の上には、図１０に示す単電池３２Ｆを載置する。他の伝熱板６０には図８に示す単電池３２を載置する。
【００６５】
バスバー保持部４９を備える保持部材４０Ａ，４０Ｆが取り付けられた２枚の伝熱板６０においては、リード端子３４Ａ（バスバー接続端子３４Ａ）をバスバー保持部４９側に配した状態で、各リード端子３４の係止突部３７が端子配置部４５の係止溝４６に嵌るように、単電池３２Ａ，３２Ｆを載置する。
【００６６】
他の伝熱板６０においても、各リード端子３４の係止突部３７が、端子配置部４５の係止溝４６に嵌るように単電池３２を載置する。このようにして複数の（６つの）電池ユニット３１が得られる。
【００６７】
６つの電池ユニット３１を最下段から順に積層する。下から２段目（上から５段目）に配される保持部材４０の下側面に形成された凹部４１を、最下段に配される保持部材４０の上側面に形成された凸部４２に対応するように配置して、電池ユニット３１を積層する。同様の作業を繰り返して６つの電池ユニット３１を積層すると、保持部材４０の凹部４１に上下方向において隣り合う保持部材４０の凸部４２が嵌り込んで一体化され、図４に示すような積層体３０が得られる。このとき６段に積層された保持部材４０の貫通孔４３が重なって、１つの貫通した孔となるとともに隣り合う保持部材４０，４０間に空間Ｓが形成される。
【００６８】
次に、上下に隣り合う保持部材４０，４０の間の挿入口７１から空間Ｓ内に溶接用の治具を挿入して、上下方向において、隣り合う２つのリード端子３４Ｂ，３４Ｂの端部（直線状の部分）同士を接合する。図１５は溶接の様子を模式的に示した図であるが、この図では保持部材を省略している。図１５に示すように、２つのリード端子３４Ｂ，３４Ｂの端部を重ねた部分をリード端子３４の突出する方向に対し交差する方向に挿入した一対の治具７０で挟んで、図１５の矢線Ｘで示す方向から、レーザー光を照射することにより溶接することで、隣り合う極性の相違するリード端子３４Ｂ，３４Ｂ同士を接続する。
【００６９】
このようにして得られた積層体３０の後方の端面側に積層体保持部材５５を取り付ける。積層体保持部材５５の取付突部５７を、１段目の後方に配される保持部材４０Ｇの取付凹部５０Ｂに差し込み、積層体保持部材５５の係止片５６を、当該保持部材４０の係止孔５０Ａにさせると、積層体３０が保持状態となる。
【００７０】
次に、積層体３０の後側から導出されるコネクタ付き電線６５を、ケース本体１２の後側面の上端に形成した電線導出孔から導出させて、積層体３０をケース本体１２に収容する。本実施形態において、伝熱板６０の熱伝導壁６１間の距離は、自然状態において、ケース本体１２の前後方向に配される一対の側面の内壁面１２Ａ，１２Ａ間の距離と同じかやや大きく設定されているので、熱伝導壁６１とケース本体１２の内壁面１２Ａとが当接することで、伝熱板６０の溝６２が熱伝導壁６１間の距離を小さくする方向に弾性変形する。積層体３０の収容作業が終わると、熱伝導壁６１がケース本体１２の内壁面１２Ａに弾性接触する。
【００７１】
次に、絶縁蓋部材２６をケース本体１２の前側の開口部１３Ｂに取り付ける。具体的には、絶縁蓋部材２６の切欠部２９から積層体３０の前側から導出されるコネクタ付き電線６５を導出させるとともに、絶縁蓋部材２６のバスバー導出口からバスバー３８を導出させ、絶縁蓋部材２６の下端部に形成した一対の突出片２７を、ケース本体１２の底面に形成した係止孔１６に係止させる。すると、絶縁板部２８が積層体３０の上面に配置された状態で、絶縁蓋部材２６がケース本体１２に取り付けられる。
【００７２】
次に、蓋部１８をケース本体１２の上面の開口部１３Ａに取り付ける。蓋部１８の係止孔２２に絶縁蓋部材２６の上端部に形成した一対の突出片２７を係止させ、ケース本体１２の上面を覆うように蓋部１８を被せ付けると、図１に示すような、電池モジュール１０が得られる。
【００７３】
次に、蓋部１８とケース本体１２の底壁部との間において、積層体３０の端部に配されている保持部材４０の貫通孔４３に第１固定部材２５を貫通させた状態で、図示しない治具に蓋部１８の固定孔２１、中空の第１固定部材２５およびケース本体１２の底壁部の固定孔１５を挿入して位置合わせを行った後に、ビスまたはピンを用いて蓋部１８とケース本体１２を固定する。このようにして電池モジュール１０が完成する。
【００７４】
（本実施形態の作用および効果）
次に、本実施形態の作用および効果について説明する。
本実施形態において、隣り合う単電池３２の極性の相違するリード端子３４Ｂ，３４Ｂは互いに逆方向に屈曲されているので、一方の単電池３２のリード端子３４Ｂの端部を他方の単電池３２側に向けて配し、他方の単電池３２のリード端子３４Ｂの端部を一方の単電池３２側に向けて配することにより端部同士を重ねることができる（図１４参照）。そして図１５に示すように、２つのリード端子３４Ｂ，３４Ｂの端部同士を重ねた状態で溶接することにより、隣り合う単電池３２の極性の相違する（逆極性の）リード端子３４Ｂ，３４Ｂ同士が接続される。
その結果、本実施形態によれば、リード端子３４Ｂ，３４Ｂの屈曲部分から末端までの長さの分、単電池３２のリード端子３４の突出方向における長さを小さくすることができるので、このような単電池３２を積層してなる電池モジュール１０を小型化することができる。
【００７５】
また、本実施形態によれば、リード端子３４Ｂには、溶接の際に当該リード端子３４Ｂが受ける応力を緩和する突部３６（応力緩和部３６）が設けられているから、溶接する際の応力が緩和され、応力を受けることによるリード端子３４Ｂの強度低下等を抑制できる。
【００７６】
また、本実施形態によれば、隣り合う単電池３２の極性の相違するリード端子３２Ｂ，３２Ｂは、レーザー溶接により接続されているから、微小で精密な溶接が可能である。
【００７７】
また、本実施形態において、リード端子３４Ｂの屈曲部分から端部側の部分は、リード端子３４の突出方向に対して交差する方向を向いているが、単電池３２を保持する保持部材４０には、隣り合う単電池３２の極性の相違するリード端子３４Ｂ，３４Ｂ同士を溶接するための治具７０を、リード端子３４の突出方向と交差する方向から挿入可能な挿入口Ｓが形成されている。
したがって、本実施形態によれば、保持部材４０の挿入口７１にはリード端子３４の突出方向と交差する方向から溶接用の治具７０を挿入可能なので、単電池３２，３２間の絶縁性を保つ保持部材４０を取り付けた状態で、リード端子３４の溶接を行うことができる。
【００７８】
＜他の実施形態＞
本発明は上記記述及び図面によって説明した実施形態に限定されるものではなく、例えば次のような実施形態も本発明の技術的範囲に含まれる。
（１）上記実施形態では、応力緩和部３５，３６としてＵ字状の突部３５や弧状の突部３６を設けたリード端子を示したが、応力緩和部の形状はこれらに限定されない。また、応力緩和部が設けられていないリード端子であってもよい。
（２）上記実施形態では、隣り合う単電池３２の極性の相違するリード端子３４をレーザー溶接により接続した例を示したが、抵抗溶接等の別の溶接方法により接続してもよい。
（３）上記実施形態では、隣り合う単電池３２の極性の相違するリード端子３４同士を溶接するための治具７０を、リード端子３４の突出方向と交差する方向から挿入可能な挿入口７１が形成されている保持部材４０を備える例を示したが、保持部材を備えないものであってもよい。
（４）上記実施形態では、ケース１１の内壁１２Ａに弾性接触可能な熱伝導壁６１を備える伝熱板６０を示したが、熱伝導壁はケース内壁に接触可能であれば、弾性接触する構成でなくてもよい。
（５）上記実施形態では、蓄電素子１２が電池である例を示したが、蓄電素子は、コンデンサなどであってもよい。
（６）上記実施形態では、蓄電素子１２としてラミネート型の電池を示したが、金属製の電池ケースに発電要素を収容してなる電池等であってもよい。
（７）上記実施形態では、ＩＳＧ用の電池モジュール１０に用いる例を示したが、他の用途の電池モジュールに用いてもよい。
【符号の説明】
【００７９】
１０…電池モジュール（蓄電モジュール）
３０…積層体
３１…電池ユニット
３２…単電池（蓄電素子）
３２Ａ，３２Ｂ，３２Ｃ，３２Ｄ，３２Ｅ，３２Ｆ…単電池（蓄電素子）
３３…ラミネートフィルム
３３Ｂ…縁部（単電池の端部）
３４…リード端子
３４Ａ…バスバー接続端子（リード端子）
３４Ｂ…端子間接続端子（リード端子）
３５…Ｕ字状の突部
３６…弧状の突部（応力緩和部）
３６Ａ…接続部
４０…保持部材
４０Ａ…上から１段目の前方に配置される保持部材
４０Ｂ…上から２段目の前方に配置される保持部材
４０Ｃ…上から３段目の前方に配置される保持部材
４０Ｄ…上から４段目の前方に配置される保持部材
４０Ｅ…上から５段目の前方に配置される保持部材
４０Ｆ…上から６段目の前方に配置される保持部材
４０Ｇ…上から１段目の後方に配置される保持部材
４０Ｈ…上から２段目の後方に配置される保持部材
４０Ｉ…上から３段目の後方に配置される保持部材
４０Ｊ…上から４段目の後方に配置される保持部材
４０Ｋ…上から５段目の後方に配置される保持部材
４０Ｌ…上から６段目の後方に配置される保持部材
７０…治具
７１…挿入口
Ｓ…空間
【図１】
2014078366.tif 000003
【図２】
2014078366.tif 000004
【図３】
2014078366.tif 000005
【図４】
2014078366.tif 000006
【図５】
2014078366.tif 000007
【図６】
2014078366.tif 000008
【図７】
2014078366.tif 000009
【図８】
2014078366.tif 000010
【図９】
2014078366.tif 000011
【図１０】
2014078366.tif 000012
【図１１】
2014078366.tif 000013
【図１２】
2014078366.tif 000014
【図１３】
2014078366.tif 000015
【図１４】
2014078366.tif 000016
【図１５】
2014078366.tif 000017